(57)【要約】【課題】  パチンコ機に並設される玉貸し機において、特別な取り付け具を必要とせずに、搬送高さを変更できるようにする。【解決手段】  紙幣識別部４が取り付けられる紙幣識別部装着板１１は、一体に形成された２つの取付部１２を有し、玉貸し機１の本体フレームに固定された位置調整バー１３に固定ねじ１４によってねじ止めされている。位置調整バー１３には、標準高さ位置用のねじ穴以外に、上方変更用ねじ穴１５および下方変更用ねじ穴１６が設けられており、取付部１２のねじ止めを、必要に応じて上方変更用ねじ穴１５または下方変更用ねじ穴１６を用いて行う。紙幣識別部４から紙幣搬送部へ紙幣をガイドする紙幣ガイド１８は、これと一体に形成された位置決め部材を取付部１２と一体に形成された紙幣ガイド位置決め部１７の間に嵌め込むことで高さ方向の位置決めを行う。【選択図】  図４
2005270242.tif 000002
【特許請求の範囲】
【請求項１】
パチンコ機の横に併置され、投入金額に応じて貸し出し用パチンコ球を排出する玉貸し機において、
紙幣を投入する紙幣挿入部と、
前記紙幣挿入部に挿入された紙幣を識別する紙幣識別部と、
前記紙幣識別部から排出された紙幣を背後に設置されている紙幣搬送部へガイドする紙幣ガイドと、
前記紙幣搬送部の高さに合わせて前記紙幣識別部の高さを調整する紙幣識別部高さ調整手段と、
を備え、前記紙幣挿入部および前記紙幣ガイドを前記紙幣識別部の位置に合わせて高さ方向に可動できるようにしたことを特徴とする玉貸し機。
【請求項２】
前記紙幣識別部高さ調整手段は、前記紙幣識別部に固定されていて前記紙幣識別部を本体フレームに固定する第１の取付手段と、前記本体フレームに固定されていて前記第１の取付手段を固定するために高さ方向に複数設けられた第２の取付手段と、前記第１の取付手段を前記第２の取付手段に固定する固定手段とを有することを特徴とする請求項１記載の玉貸し機。
【請求項３】
前記第１の取付手段は前記紙幣識別部に固定された取付部に開けられた穴であり、前記第２の取付手段はねじ穴であり、前記固定手段は前記取付部の前記穴を介して前記ねじ穴に螺着される固定ねじであることを特徴とする請求項２記載の玉貸し機。
【請求項４】
前記紙幣挿入部は、前記紙幣識別部に挿入された紙幣をガイドする入金紙幣ガイドに嵌合されて高さ方向に摺動自在に設けられ、前記入金紙幣ガイドの高さ方向の移動によりできる隙間をマスクすることができるガイド口マスクを有していることを特徴とする請求項１記載の玉貸し機。
【請求項５】
前記紙幣ガイドは、前記紙幣識別部高さ調整手段に設けられた１対の紙幣ガイド位置決め部に嵌め込まれて高さ方向の位置決めを行う位置決め部材を有していることを特徴とする請求項１記載の玉貸し機。
【発明の詳細な説明】
【技術分野】
【０００１】
本発明は玉貸し機に関し、特に隣接するパチンコ機の間に個々のパチンコ機に対応させて配置され、投入された紙幣の金額に応じて貸し玉用パチンコ玉が排出される台間の玉貸し機に関する。
【背景技術】
【０００２】
パチンコ遊技店においては、隣接する２つのパチンコ機の間に各パチンコ機と対応してそれぞれ玉貸し機が設けられている。これらパチンコ機および玉貸し機のペアが島方向に連続して設置されている。玉貸し機には、紙幣挿入部が設けられており、その紙幣挿入部に紙幣が投入されると、その投入された紙幣を識別し、正しく識別できた場合には、その紙幣の金種に相当する数の貸し玉用パチンコ玉を貸し出す。正しく識別できなかった紙幣は、紙幣挿入部に戻され、返却される。
【０００３】
それぞれの玉貸し機が受け入れた紙幣は、紙幣搬送部により集められて金庫に収納されるようにしている（たとえば、特許文献１参照。）。すなわち、紙幣搬送部は、パチンコ機および玉貸し機の背後においてそれらの並び方向に紙幣を搬送するように設置されており、その搬送方向先端部が島の端などに設置されている金庫に接続された構成になっている。これにより、それぞれの玉貸し機が紙幣を受け付けてその紙幣が紙幣搬送部に渡されると、紙幣搬送部がその紙幣を金庫まで搬送し、その金庫に搬送されてきた紙幣が収納される。
【０００４】
このように島ごとに設置され、島内の複数の玉貸し機に対して共通に紙幣の搬送を行う紙幣搬送部は、玉貸し機の紙幣が出てくる高さに合わせて設けられている。しかしながら、玉貸し機に関しては、その製造メーカーにより、玉貸し機から紙幣が出てくる高さが違う場合があり、そのため、あるメーカーの玉貸し機に合わせて紙幣搬送部を設置した島には他のメーカーの玉貸し機を設置することができないといったことが起こり得る。
【０００５】
両面島の反対面などで搬送高さが異なる玉貸し機を併置する場合、あるいは島の構造上、搬送高さを変える必要がある場合に、玉貸し機内にて紙幣識別部の取り付け位置を紙幣搬送部の高さに合わせて変更する必要がある。このような場合には、現地で玉貸し機を設置する場合に、取り付け具を用いて一時的に搬送高さを変更することが行われている（たとえば、特許文献２参照。）。
【特許文献１】特開平７−８８２４４号公報
【特許文献２】特開平８−４０５９６号公報
【発明の開示】
【発明が解決しようとする課題】
【０００６】
しかしながら、従来の玉貸し機では、その搬送高さを変更する必要がある場合に、あらかじめ用意しておいた取り付け具で高さ調整を行わなければならないため、現地での玉貸し機の設置に手間がかかり、取り付け具が必要なことから、コストが高くなるという問題点があった。
【０００７】
本発明はこのような点に鑑みてなされたものであり、特別な取り付け具を必要とせずに、搬送高さを変更することができる玉貸し機を提供することを目的とする。
【課題を解決するための手段】
【０００８】
本発明では上記問題を解決するために、パチンコ機の横に併置され、投入金額に応じて貸し出し用パチンコ球を排出する玉貸し機において、紙幣を投入する紙幣挿入部と、前記紙幣挿入部に挿入された紙幣を識別する紙幣識別部と、前記紙幣識別部から排出された紙幣を背後に設置されている紙幣搬送部へガイドする紙幣ガイドと、前記紙幣搬送部の高さに合わせて前記紙幣識別部の高さを調整する紙幣識別部高さ調整手段と、を備え、前記紙幣挿入部および前記紙幣ガイドを前記紙幣識別部の位置に合わせて高さ方向に可動できるようにしたことを特徴とする玉貸し機が提供される。
【０００９】
このような玉貸し機によれば、紙幣識別部高さ調整手段を備えたことにより、紙幣搬送部の高さが異なる他の玉貸し機と組み合わせる場合においても、特別な取り付け具を使用することなく紙幣識別部の高さを現地で自由に調整することが可能になる。
【発明の効果】
【００１０】
本発明の玉貸し機は、紙幣挿入部の位置が容易に変えられるため、特別な取り付け具を必要とすることなく搬送高さを変更することができ、たとえば両面島の反対面などで搬送高さが異なる玉貸し機を併置する場合、あるいは、島の構造上、搬送高さを変える必要がある場合などでも、現地で部品交換無しに高さを変えることが可能で、島のあらゆるレイアウトに対して柔軟な対応が可能になる。
【発明を実施するための最良の形態】
【００１１】
以下、本発明の実施の形態を図面を参照して詳細に説明する。
図１は本発明による玉貸し機の全体を示す概観斜視図である。
玉貸し機１は、その正面のフロントパネル２には、上部に紙幣を投入するための紙幣挿入部３が配置されている。この紙幣挿入部３に対応した玉貸し機１の内部には、挿入された紙幣を識別する紙幣識別部４が設けられている。
【００１２】
玉貸し機１は、また、紙幣挿入部３の下方近傍に硬貨を投入するための硬貨挿入部５、フロントパネル２の略中央に配置されて貸し玉用パチンコ玉が排出される玉排出ノズル６、指定金種以外の投入硬貨または識別できなかった投入硬貨を返却する返却口７などが設けられている。
【００１３】
このような玉貸し機１は、隣接するパチンコ機の間に配置されてたフレームに差し込んで固定される。そのフレームの背後には、パチンコ機の並び方向に紙幣を搬送する紙幣搬送部が設けられており、そのフレームに玉貸し機１を装着した際に、紙幣識別部４がその紙幣搬送部と結合され、紙幣識別部４が取り込んだ紙幣を金庫まで搬送できるようにしている。この玉貸し機１では、紙幣識別部４の高さが紙幣搬送部の高さと一致しない場合、紙幣識別部４の高さを紙幣搬送部の高さに合わせて、調整することができるようにしている。
【００１４】
図２は紙幣挿入部の近傍を詳細に示す部分破断側面図である。
紙幣挿入部３は、フロントパネル２の内側に高さ方向に摺動自在に設けられたガイド口マスク８と、投入された紙幣を紙幣識別部４までガイドする入金紙幣ガイド９とを有し、その入金紙幣ガイド９の正面側先端部は、ガイド口マスク８の中央に開口しているガイド口１０に嵌合されている。紙幣識別部４が紙幣搬送部の高さに合わせて取り付け位置の高さが変更された場合には、その入金紙幣ガイド９の位置も高さ方向に変更されるが、それに連動して入金紙幣ガイド９が嵌合されているガイド口マスク８も高さ方向の位置が変更されるようになっている。これにより、紙幣識別部４の高さ調整に伴って入金紙幣ガイド９の高さが変更されても、入金紙幣ガイド９の高さ方向の移動によってできる隙間をガイド口マスク８によってマスクすることができる。
【００１５】
図３は紙幣識別部を高さ方向に変更したときの状態を示す正面図であって、（Ａ）は標準状態を示し、（Ｂ）は上方変更状態を示し、（Ｃ）は下方変更状態を示している。
紙幣識別部４の高さ方向の変更がない標準状態では、紙幣挿入部３は、その高さ方向中央にガイド口１０が位置しており、紙幣識別部４が標準高さ位置に設定されている場合は、図３の（Ａ）に示したように、入金紙幣ガイド９に嵌合されたガイド口マスク８も紙幣識別部４の高さ方向の標準位置にいるので、ガイド口１０の上下にガイド口マスク８が見えている。
【００１６】
紙幣識別部４が上方位置に変更されて設定されている場合は、図３の（Ｂ）に示したように、入金紙幣ガイド９に嵌合されたガイド口マスク８も高さ方向が変更された紙幣識別部４と同じ高さの位置にいるので、ガイド口１０の下方にガイド口マスク８が見えている。逆に、紙幣識別部４が下方位置に変更されて設定されている場合は、図３の（Ｃ）に示したように、ガイド口１０の上方にガイド口マスク８が見えている。
【００１７】
図４は紙幣識別部高さ調整機構の詳細を示す部分側面図、図５は紙幣ガイドの詳細を示す部分側面図、図６は紙幣識別部の搭載部を示す部分斜視図である。
紙幣識別部４は、その本体が紙幣識別部装着板１１に取り付けられており、その紙幣識別部装着板１１には、その後方に２つの取付部１２が一体に突設されている。この取付部１２には、穴が開いていて、玉貸し機１の本体フレームに固定された位置調整バー１３に固定ねじ１４によってねじ止めされている。位置調整バー１３には、紙幣識別部４が紙幣搬送部の高さに合わせて調整された位置に固定できるよう、あらかじめ複数のねじ穴が設けられている。図４に示した取り付け例では、紙幣識別部４が標準の高さ位置にくるように位置調整バー１３に開けられたねじ穴に取付部１２が固定されているが、それらのねじ穴の上下には、紙幣識別部４の取り付け位置を上方に変更するための上方変更用ねじ穴１５および紙幣識別部４の取り付け位置を下方に変更するための下方変更用ねじ穴１６がそれぞれ位置調整バー１３に開けられている。これらのねじ穴があらかじめ開けられているのは、紙幣搬送部がこの玉貸し機１の背後に取り付けられる高さ位置の種類が限定されていて、それらの高さ位置があらかじめ分かっていることによる。
【００１８】
紙幣識別部装着板１１の取付部１２は、また、それらの対向縁部に立設された紙幣ガイド位置決め部１７が一体に形成されている。これら紙幣ガイド位置決め部１７の間に、紙幣識別部４から紙幣搬送部へ紙幣をガイドする紙幣ガイド１８の位置決め部材１９が嵌め込まれている。これにより、紙幣ガイド１８は、紙幣識別部４の取り付け位置が変更されても、位置決め部材１９が紙幣ガイド位置決め部１７の間に位置して紙幣識別部４との相対位置が変化しないため、紙幣識別部４から送り出された紙幣を紙幣搬送部へ正しくガイドすることができる。
【００１９】
紙幣ガイド１８は、下端部が折り曲げられ、Ｕ字形状に形成されて平行な側面を有する紙幣通路になっており、紙幣識別部４の紙幣送り出し口に対抗する縁部には、外側に開くよう折り曲げられて紙幣識別部４からの紙幣をその紙幣通路内へ確実にガイドする紙幣受け部２０を有している。その紙幣受け部２０の一方には、さらにそこで折り曲げられた前述の位置決め部材１９が一体に形成されている。
【００２０】
位置決め部材１９が紙幣ガイド位置決め部１７の間に嵌め込まれることによって上下方向の移動が規制された紙幣ガイド１８は、ガイド押さえ部材２１によって玉貸し機１の本体フレームに固定されている。
【００２１】
これにより、高さの異なる紙幣搬送部に対して高さ調整用の特別な取り付け具を使用することなく、紙幣識別部４の高さを調整することができ、それに伴って紙幣ガイド１８も同時に紙幣搬送高さを調整することが可能になる。
【図面の簡単な説明】
【００２２】
【図１】本発明による玉貸し機の全体を示す概観斜視図である。
【図２】紙幣挿入部の近傍を詳細に示す部分破断側面図である。
【図３】紙幣識別部を高さ方向に変更したときの状態を示す正面図であって、（Ａ）は標準状態を示し、（Ｂ）は上方変更状態を示し、（Ｃ）は下方変更状態を示している。
【図４】紙幣識別部高さ調整機構の詳細を示す部分側面図である。
【図５】紙幣ガイドの詳細を示す部分側面図である。
【図６】紙幣識別部の搭載部を示す部分斜視図である。
【符号の説明】
【００２３】
１  玉貸し機
２  フロントパネル
３  紙幣挿入部
４  紙幣識別部
５  硬貨挿入部
６  玉排出ノズル
７  返却口
８  ガイド口マスク
９  入金紙幣ガイド
１０  ガイド口
１１  紙幣識別部装着板
１２  取付部
１３  位置調整バー
１４  固定ねじ
１５  上方変更用ねじ穴
１６  下方変更用ねじ穴
１７  紙幣ガイド位置決め部
１８  紙幣ガイド
１９  位置決め部材
２０  紙幣受け部
２１  ガイド押さえ部材
【図１】
2005270242.tif 000003
【図２】
2005270242.tif 000004
【図３】
2005270242.tif 000005
【図４】
2005270242.tif 000006
【図５】
2005270242.tif 000007
【図６】
2005270242.tif 000008